(57)【要約】【課題】  建築、土木分野の構築物で高性能の止水性を有する水膨張ゴム複合丸セパレーターを提供する。【解決手段】  水膨張ゴム丸セパレーターにおいて、内部又は外周の一部に金属リングを具備することにより、水との接触による膨張を内径方向に規制することにより、鉄筋等との間隙を強固に止水することが出来る水膨張複合丸セパレーターを提供出来る。【選択図】      図２
0003107108.tif 000002
【実用新案登録請求の範囲】
【請求項１】
内部又は外周の一部に金属リング又は合成樹脂リングを有する水膨張ゴム複合丸セパレーター。
【考案の詳細な説明】
【技術分野】
【０００１】
考案は建築、土木分野において使用される丸セパレーターに関する。
【背景技術】
【０００２】
従来、ビル、マンション、橋梁、トンネル等建築、土木分野における構築物（以下これら構築物と称する）において、これら構築物の耐久性、性能維持のためにその地下部分及び水との接触部位における止水性が重要になっている。このため特にこれら構築物コンクリートと鉄筋等強化材との間隙からの漏水を防止するためゴム又はプラスチック等のセパレーター（以下丸セパレーターと称する）が使用されている。
【考案の開示】
【考案が解決しようとする課題】
【０００３】
ところがこれら構築物の大型化、高性能化に伴い、高深度、高水圧下での止水が必要とされ単なるゴム、プラスッチック等のセパレーターに加え、水膨張性機能を有するいわゆる水膨張ゴム丸セパレーターが使用されてきている。しかしながらこれら水膨張ゴム丸セパレーターにおいても、水との接触において全体が膨張して鉄筋等との間隙で十分満足すべき止水性を発揮出来ない場合が多い。
【課題を解決するための手段】
【０００４】
考案は、内部又は外周の一部に金属リング又は合成樹脂リングを有する止水性に優れた水膨張ゴム複合丸セパレーターである。    
【考案の効果】
【０００５】
考案による水膨張ゴム複合丸セパレーターは、内部又は外周の一部に金属又は合成樹脂リングを有し、水との接触により内径方向への膨張が強化され、鉄筋等との間隙を強固に止水することを可能とする。
【考案を実施するための最良の形態】
【０００６】
考案に使用される水膨張ゴムに包含・具備される金属リングは、鉄又はステンレス等が、合成樹脂リングはポリ塩化ビニール等が使用され、その大きさ、厚さは適用される丸セパレーターの大きさにより選定されるが、リングの厚さは０．５ｍｍ〜２ｍｍ程度で十分効果を発揮する。
水膨張ゴムについては、天然ゴム及びクロロプレンゴム（CR）、スチレンーブタヂエンゴム（SBR）等合成ゴムの各種ゴムが適用され、硬さは通常ＪＩＳ硬度で４０−８０程度が一般的で金属リング又は合成樹脂リングと一体成形するゴム成形も容易であるが、水膨張倍率は、体積で１．２〜２倍程度であることが望ましく、良好な止水性を発揮する。
【実施例】
【０００７】
（実施例１）
水膨張体積倍率１．５、ＪＩＳ硬度（Ａ）６０のクロロプレンゴムベースの水膨張ゴムで、厚さ４ｍｍ、内径６ｍｍ、外径１８ｍｍの丸セパレーターの内部に厚さ１ｍｍ、内径１２ｍｍのステンレス製リングを入れ、プレス成形で図１に示す水膨張ゴム複合丸セパレーターを製造した。
（実施例２）
水膨張体積倍率１．８、ＪＩＳ（Ａ）硬度７０の天然ゴムベースの水膨張ゴムで、厚さ５ｍｍ、内径６ｍｍ、低部外径１８ｍｍ、上部外径１２ｍｍの丸セパレーターにおいて、上部に厚さ１ｍｍ、内径１２ｍｍの鋼製リングを接着して図２に示す水膨張ゴム複合丸セパレーターを製造した。
【産業上の利用可能性】
【０００８】
考案の水膨張ゴム複合丸セパレーターは水との接触で内径方向の膨張性を有し、鉄筋等強化材との間隙に強固な止水効果を発揮する広い範囲の建築・土木大型構築物への適用が可能で有用な丸セパレーターを提供出来る。
【図面の簡単な説明】
【０００９】
【図１】考案の内部に金属リング又は合成樹脂リングを有する水膨張ゴム丸セパレーターの側断面図である。
【図２】考案の外周の一部に金属リング又は合成樹脂リングを有する水膨張ゴム丸セパレーターの側断面図である。
【符号の説明】
【００１０】
１    水膨張ゴム複合丸セパレーター
２    金属リング又は合成樹脂リング
３    水膨張ゴム複合丸セパレーター底部
４    水膨張ゴム複合丸セパレーター上部
５    金属リング又は合成樹脂リング
【図１】
0003107108.tif 000003
【図２】
0003107108.tif 000004
【手続補正書】
【提出日】平成16年9月13日(2004.9.13)
【手続補正１】
【補正対象書類名】実用新案登録請求の範囲
【補正対象項目名】全文
【補正方法】変更
【補正の内容】
【実用新案登録請求の範囲】
【請求項１】
内部又は外周の一部に金属リングを有する水膨張ゴム複合丸セパレーター。
【手続補正２】
【補正対象書類名】明細書
【補正対象項目名】全文
【補正方法】変更
【補正の内容】
【考案の詳細な説明】
【技術分野】
【０００１】
考案は建築、土木分野において使用される丸セパレーターに関する。
【背景技術】
【０００２】
従来、ビル、マンション、橋梁、トンネル等建築、土木分野における構築物（以下これら構築物と称する）において、これら構築物の耐久性、性能維持のためにその地下部分及び水との接触部位における止水性が重要になっている。このため特にこれら構築物コンクリートと鉄筋等強化材との間隙からの漏水を防止するためゴム又はプラスチック等のセパレーター（以下丸セパレーターと称する）が使用されている。
【考案の開示】
【考案が解決しようとする課題】
【０００３】
ところがこれら構築物の大型化、高性能化に伴い、高深度、高水圧下での止水が必要とされ単なるゴム、プラスッチック等のセパレーターに加え、水膨張性機能を有するいわゆる水膨張ゴム丸セパレーターが使用されてきている。しかしながらこれら水膨張ゴム丸セパレーターにおいても、水との接触において全体が膨張して鉄筋等との間隙で十分満足すべき止水性を発揮出来ない場合が多い。
【課題を解決するための手段】
【０００４】
考案は、内部又は外周の一部に金属リングを有する止水性に優れた水膨張ゴム複合丸セパレーターである。    
【考案の効果】
【０００５】
考案による水膨張ゴム複合丸セパレーターは、内部又は外周の一部に金属リングを有し、水との接触により内径方向への膨張が強化され、鉄筋等との間隙を強固に止水することを可能とする。
【考案を実施するための最良の形態】
【０００６】
考案に使用される水膨張ゴムに包含・具備される金属リングは、鉄又はステンレス等が使用され、その大きさ、厚さは適用される丸セパレーターの大きさにより選定されるが、リングの厚さは０．５ｍｍ〜２ｍｍ程度で十分効果を発揮する。
水膨張ゴムについては、天然ゴム及びクロロプレンゴム（CR）、スチレンーブタヂエンゴム（SBR）等合成ゴムの各種ゴムが適用され、硬さは通常ＪＩＳ硬度で４０−８０程度が一般的で金属リングと一体成形するゴム成形も容易であるが、水膨張倍率は、体積で１．２〜２倍程度であることが望ましく、良好な止水性を発揮する。
【実施例】
【０００７】
（実施例１）
水膨張体積倍率１．５、ＪＩＳ硬度（Ａ）６０のクロロプレンゴムベースの水膨張ゴムで、厚さ４ｍｍ、内径６ｍｍ、外径１８ｍｍの丸セパレーターの内部に厚さ１ｍｍ、内径１２ｍｍのステンレス製リングを入れ、プレス成形で図１に示す水膨張ゴム複合丸セパレーターを製造した。
（実施例２）
水膨張体積倍率１．８、ＪＩＳ（Ａ）硬度７０の天然ゴムベースの水膨張ゴムで、厚さ５ｍｍ、内径６ｍｍ、低部外径１８ｍｍ、上部外径１２ｍｍの丸セパレーターにおいて、上部に厚さ１ｍｍ、内径１２ｍｍの鋼製リングを接着して図２に示す水膨張ゴム複合丸セパレーターを製造した。
【産業上の利用可能性】
【０００８】
考案の水膨張ゴム複合丸セパレーターは水との接触で内径方向の膨張性を有し、鉄筋等強化材との間隙に強固な止水効果を発揮する広い範囲の建築・土木大型構築物への適用が可能で有用な丸セパレーターを提供出来る。
【図面の簡単な説明】
【０００９】
【図１】考案の内部に金属リングを有する水膨張ゴム丸セパレーターの側断面図である。
【図２】考案の外周の一部に金属リングを有する水膨張ゴム丸セパレーターの側断面図である。
【符号の説明】
【００１０】
１    水膨張ゴム複合丸セパレーター
２    金属リング
３    水膨張ゴム複合丸セパレーター底部
４    水膨張ゴム複合丸セパレーター上部
５    金属リング